(57)【要約】【課題】  デジタルデータの保存としてＤＶＤなどの記録用ディスクを用いるデジタルカメラにおいて、コンパクトさと操作性の良さを両立させる。【解決手段】ＤＶＤディスクなどを挿入する記録媒体保持部と、表示部と、バッテリ部と、レンズ部との内で、表示部とバッテリ部とは、撮影時の操作者から投影した前記記録媒体保持部の投影面に収まるように配置して、前記レンズ部は、前記記録媒体保持部の側方に回転自在に配置して、構成をコンパクトにする。撮影時には、操作者の親指でその記録ボタンを、操作者の人差し指でそのズームボタンを押すことができるようにする。また、電源スイッチとレンズカバーを連動させる。【選択図】        図１
2006211730.tif 000002
【特許請求の範囲】
【請求項１】
撮像データをデジタルデータとして保存するデジタルカメラにおいて、
前記デジタルデータを記録する記録媒体を保持する記録媒体保持部と、
被写体、または、操作者に必要な制御情報を表示するための表示部と、
電力を供給するバッテリ部と、
撮像するための光学情報を取り込むレンズ部とを有し、
前記記録媒体保持部は、操作時に前記記録媒体の挿入口を縦になるように構成して、
前記表示部と前記バッテリ部とは、撮影時の操作者から投影した前記記録媒体保持部の投影面に収まるように配置して、
前記レンズ部は、前記記録媒体保持部の側方に回転自在に配置することを特徴とするデジタルカメラ。
【請求項２】
撮像データをデジタルデータとして保存するデジタルカメラにおいて、
前記デジタルデータを記録する記録媒体を保持する記録媒体保持部と、
被写体、または、操作者に必要な制御情報を表示するための表示部と、
電力を供給するバッテリ部と、
撮像するための光学情報を取り込むレンズ部とを有し、
前記記録媒体保持部は、操作時に前記記録媒体の挿入口を縦になるように構成して、
前記表示部と前記バッテリ部と前記レンズ部とを、撮影時の操作者から投影した前記記録媒体保持部の投影面に収まるように配置して、
前記表示部を回転自在に配置し、
前記レンズ部の方向は、前記投影面とは直交することを特徴とするデジタルカメラ。
【請求項３】
撮像データをデジタルデータとして保存するデジタルカメラにおいて、
前記デジタルデータを記録する記録媒体を保持する記録媒体保持部と、
被写体、または、操作者に必要な制御情報を表示するための表示部と、
電力を供給するバッテリ部と、
撮像するための光学情報を取り込むレンズ部と、
被写体を見るためのファインダとを有し、
前記記録媒体保持部は、操作時に前記記録媒体の挿入口を縦になるように構成して、
前記表示部と前記バッテリ部とは、前記記録媒体保持部の記録媒体を挿入する方向と平行する向きに配置して、
前記レンズ部と被写体を見るためのファインダとを、前記記録媒体保持部の上方に配置し、
前記表示部は、前記記録媒体保持部の記録媒体を挿入する方向と直交する方向まで回転する機能を有することを特徴とするデジタルカメラ。
【請求項４】
撮像データをデジタルデータとして保存するデジタルカメラにおいて、
前記デジタルデータを記録する記録媒体を保持する記録媒体保持部と、
被写体、または、操作者に必要な制御情報を表示するための表示部と、
電力を供給するバッテリ部と、
撮像するための光学情報を取り込むレンズ部と、
被写体を見るためのファインダとを有し、
前記記録媒体保持部は、操作時に前記記録媒体の挿入口を縦になるように構成して、
前記表示部と前記バッテリ部と前記レンズ部とを、前記記録媒体保持部の記録媒体を挿入する方向と平行する向きに配置して、
前記レンズ部と被写体を見るためのファインダとを、前記記録媒体保持部の側方に配置し、
前記表示部は、前記記録媒体保持部の記録媒体を挿入する方向と直交する方向まで回転する機能を有することを特徴とするデジタルカメラ。
【請求項５】
開閉することにより電源のオン・オフと連動するレンズカバーをさらに有することを特徴とする請求項１記載のデジタルカメラ。
【請求項６】
レンズカバーの開閉と連動する電源スイッチをさらに有することを特徴とする請求項２ないし請求項４記載のいずれかのデジタルカメラ。
【請求項７】
前記電源スイッチにより、電源をオフにしたときに、制御ボタンを隠れるように配置したことを特徴とする請求項６記載のデジタルカメラ。
【請求項８】
前記バッテリ部によって生じる凸部を操作者が、撮影時にグリップする形態にしたことを特徴とする請求項２記載のデジタルカメラ。
【請求項９】
撮影時に操作者のグリップした手のひらが、前記記録媒体保持部の記録媒体の挿入口を、覆うような方向にしたことを特徴とする請求項１および請求項２記載のいずれかのデジタルカメラ。
【請求項１０】
撮影時に操作者のグリップした手のひらがつかむ面に、前記バッテリ部の取出しボタンと、前記記録媒体保持部の記録媒体の取出しボタンを配置したことを特徴とする請求項１および請求項２記載のいずれかのデジタルカメラ。
【請求項１１】
撮影時に使うボタンとして、記録ボタンとズームボタンを有し、
撮影時には、
操作者の親指でその記録ボタンを、
操作者の人差し指でそのズームボタンを押すことができるようこれらのボタンを配置したことを特徴とする請求項１および請求項２記載のいずれかのデジタルカメラ。
【請求項１２】
撮影時に使うボタンとして、記録ボタンとズームボタンを有し
撮影時には、操作者の人差し指でその記録ボタンとそのズームボタンを押すことができるようこれらのボタンを配置したことを特徴とする請求項３記載のデジタルカメラ。
【請求項１３】
操作者が向き合う面に前記記録媒体保持部の記録媒体の挿入口を配置したことを特徴とする請求項３および請求項４記載のいずれかのデジタルカメラ。
【請求項１４】
前記記録媒体保持部とその周辺に配置される部材の内で、
操作者が、撮影時に周辺に配置される部材の方をグリップする形態にしたことを特徴とする請求項４記載のデジタルカメラ。
【発明の詳細な説明】
【技術分野】
【０００１】
本発明は、デジタルカメラに係り、デジタルデータの保存にＤＶＤなどの記録用ディスクを用いるデジタルカメラであって、コンパクトで操作性の良いデジタルカメラに関する。
【背景技術】
【０００２】
近年、従来型の光学カメラに代わり、撮影した画像データをデジタルデータとして保存できるデジタルカメラが普及してきている。
【０００３】
デジタルカメラの特徴は、画像データをデジタルデータとして扱うので、パーソナルコンピュータに取り込んで編集するといった多面的な利用が可能で、カメラについてあまり知識のないユーザでも簡単に扱えるのが魅力である。
【発明の開示】
【発明が解決しようとする課題】
【０００４】
上記のようにデジタルカメラは、従来型の光学カメラのようにフィルムを感光するのではなく、画像データをデジタルデータとして扱うのでそれを保存する媒体が必要である。
【０００５】
デジタルカメラに、静止画のみならず、動画も保存する場合には、ＭＰＥＧなどの規格に従い、データ圧縮をおこなっても膨大な容量になるため、大容量の記憶媒体が望ましい。あまり、記憶容量が少なくては、ユーザは頻繁に記憶媒体を取り変えなければならず、使い勝手の悪いものになる。
【０００６】
従来のデジタルカメラは、ＰＣＭＣＩＡカード形態のフラッシュメモリが多く用いられてきたが、動画を撮影するような大容量の記憶媒体が必要な場合には、ＤＶＤなどの光ディスク媒体が有望である。
【０００７】
しかしながら、ＤＶＤなどのディスク媒体は、ディスクを駆動するドライブが必要なため、従来のカメラに比べて大型なものになるという問題点がある。
【０００８】
また、従来型のカメラより一つパーツが増えているので、うまく配置を考えないと操作性が悪い物になってしまう。
【０００９】
本発明は、上記問題点を解決するためになされたもので、その目的は、デジタルデータの保存としてＤＶＤなどの記録用ディスクを用いるデジタルカメラにおいて、コンパクトさと操作性の良さを両立させたデジタルカメラを提供することにある。
【課題を解決するための手段】
【００１０】
上記目的を達成するために、本発明のデジタルカメラに係る発明の第一の構成は、撮像データをデジタルデータとして保存するデジタルカメラにおいて、前記デジタルデータを記録する記録媒体を保持する記録媒体保持部と、被写体、または、操作者に必要な制御情報を表示するための表示部と、電力を供給するバッテリ部と、撮像するための光学情報を取り込むレンズ部とを有し、前記記録媒体保持部は、操作時に前記記録媒体の挿入口を縦になるように構成して、前記表示部と前記バッテリ部とは、撮影時の操作者から投影した前記記録媒体保持部の投影面に収まるように配置して、前記レンズ部は、前記記録媒体保持部の側方に回転自在に配置するようにしたものである。
【００１１】
上記目的を達成するために、本発明のデジタルカメラに係る発明の第二の構成は、撮像データをデジタルデータとして保存するデジタルカメラにおいて、前記デジタルデータを記録する記録媒体を保持する記録媒体保持部と、被写体、または、操作者に必要な制御情報を表示するための表示部と、電力を供給するバッテリ部と、撮像するための光学情報を取り込むレンズ部とを有し、前記記録媒体保持部は、操作時に前記記録媒体の挿入口を縦になるように構成して、前記表示部と前記バッテリ部と前記レンズ部とを、撮影時の操作者から投影した前記記録媒体保持部の投影面に収まるように配置して、前記表示部を回転自在に配置し、前記レンズ部の方向は、前記投影面とは直交するようにしたものである。
【００１２】
上記目的を達成するために、本発明のデジタルカメラに係る発明の第三の構成は、撮像データをデジタルデータとして保存するデジタルカメラにおいて、前記デジタルデータを記録する記録媒体を保持する記録媒体保持部と、被写体、または、操作者に必要な制御情報を表示するための表示部と、電力を供給するバッテリ部と、撮像するための光学情報を取り込むレンズ部と、被写体を見るためのファインダとを有し、前記記録媒体保持部は、操作時に前記記録媒体の挿入口を縦になるように構成して、前記表示部と前記バッテリ部とは、前記記録媒体保持部の記録媒体を挿入する方向と平行する向きに配置して、前記レンズ部と被写体を見るためのファインダとを、前記記録媒体保持部の上方に配置し、前記表示部は、前記記録媒体保持部の記録媒体を挿入する方向と直交する方向まで回転する機能を有するようにしたものである。
【００１３】
上記目的を達成するために、本発明のデジタルカメラに係る発明の第四の構成は、撮像データをデジタルデータとして保存するデジタルカメラにおいて、前記デジタルデータを記録する記録媒体を保持する記録媒体保持部と、被写体、または、操作者に必要な制御情報を表示するための表示部と、電力を供給するバッテリ部と、撮像するための光学情報を取り込むレンズ部と、被写体を見るためのファインダとを有し、前記記録媒体保持部は、操作時に前記記録媒体の挿入口を縦になるように構成して、前記表示部と前記バッテリ部と前記レンズ部とを、前記記録媒体保持部の記録媒体を挿入する方向と平行する向きに配置して、前記レンズ部と被写体を見るためのファインダとを、前記記録媒体保持部の側方に配置し、前記表示部は、前記記録媒体保持部の記録媒体を挿入する方向と直交する方向まで回転する機能を有するようにしたものである。
【００１４】
より詳しくは、上記第一の構成のデジタルカメラにおいて、開閉することにより電源のオン・オフと連動するレンズカバーをさらに有するようにしたものである。
【００１５】
また詳しくは、上記第二ないし第四の構成のデジタルカメラにおいて、レンズカバーの開閉と連動する電源スイッチをさらに有するようにしたものである。
【００１６】
さらに詳しくは、上記第二ないし第四の構成のデジタルカメラにおいて、前記電源スイッチにより、電源をオフにしたときに、制御ボタンを隠れるように配置したようにしたものである。
【００１７】
より詳しくは、上記二の構成のデジタルカメラにおいて、前記バッテリ部によって生じる凸部を操作者が、撮影時にグリップする形態にしたようにしたものである。
【００１８】
また詳しくは、上記第一および第二の構成のデジタルカメラにおいて、撮影時に操作者のグリップした手のひらが、前記記録媒体保持部の記録媒体の挿入口を、覆うような方向にしたようにしたものである。
【００１９】
さらに詳しくは、上記第一および第二の構成のデジタルカメラにおいて、撮影時に操作者のグリップした手のひらがつかむ面に、前記バッテリ部の取出しボタンと、前記記録媒体保持部の記録媒体の取出しボタンを配置したようにしたものである。
【００２０】
さらにまた詳しくは、上記第一および第二の構成のデジタルカメラにおいて、撮影時に使うボタンとして、記録ボタンとズームボタンを有し、撮影時には、操作者の親指でその記録ボタンを、操作者の人差し指でそのズームボタンを押すことができるようこれらのボタンを配置したようにしたものである。
【００２１】
より詳しくは、上記第三のデジタルカメラにおいて、撮影時に使うボタンとして、記録ボタンとズームボタンを有し、撮影時には、操作者の人差し指でその記録ボタンとそのズームボタンを押すことができるようこれらのボタンを配置したようにしたものである。
【００２２】
また詳しくは、上記第三および第四の構成のデジタルカメラにおいて、操作者が向き合う面に前記記録媒体保持部の記録媒体の挿入口を配置したようにしたものである。
【００２３】
さらに詳しくは、上記第四の構成のデジタルカメラにおいて、操作者が、撮影時に前記記録媒体保持部とその周辺に配置される部材の内で、周辺に配置される部材の方をグリップする形態にしたようにしたものである。
【発明の効果】
【００２４】
本発明によれば、デジタルデータの保存としてＤＶＤなどの記録用ディスクを用いるデジタルカメラにおいて、コンパクトさと操作性の良さを両立させたデジタルカメラを提供することができる。
【発明を実施するための最良の形態】
【００２５】
以下、本発明に係る各実施形態を、図１ないし図１６を用いて説明する。
本発明は、記録媒体としてＤＶＤディスクなどを使ったデジタルカメラの構造に関するものである。各タイプにより構造が違うので、実施形態を項分けして説明するものとする。
【００２６】
〔実施形態１〕
以下、本発明に係る第一の実施形態を図１ないし図４を用いて説明する。
図１は、本発明の第一の実施形態に係るデジタルカメラの斜視図であり、（ａ）が撮影者側から見た図、（ｂ）が被写体側から見た図である。
図２は、本発明の第一の実施形態に係るデジタルカメラを、操作するイメージを描いた斜視図であり、（ａ）が撮影者側から見た図、（ｂ）が被写体側から見た図である。
図３は、本発明の第一の実施形態に係るデジタルカメラの主要な構成要素の組み合わせを模式的に示した図である。
図４は、本発明の第一の実施形態に係るデジタルカメラを製図手法的に示した展開図である。
【００２７】
先ず、図３を用いて本発明のデジタルカメラの基本構成という観点から説明しよう。
【００２８】
本発明のデジタルカメラは、図３に示されるように、主要構成要素としてディスクドライブ１、ＬＣＤ部２、バッテリ部３、レンズ部４、メイン基板５、スピーカ６、マイク７からなっている。
【００２９】
ディスクドライブ１は、デジタルカメラで撮影した静止画、動画、音声を記録する記録用ディスク０を駆動し、読み書きをするための機構である。一般に、デジタルカメラは、従来型の光学カメラとは異なり、撮影した画像等をデジタルデータとして蓄積し、パーソナルコンピュータで利用できることが大きな特徴である。したがって、デジタルカメラとしてデジタルデータを保存するのは、必須の機能であるといえる。本実施形態では、このデータを蓄えるメディアを、記録用ディスクとし、それの入出力装置として、駆動ドライブとしたが、この外にも様々な形態が考えられる。例えば、ＰＣＭＣＩＡカード形態で提供されるフラッシュメモリが有望な候補である。
【００３０】
また、記録用ディスク０としての記録方式としては、磁気的な記録方式、光学的な記録方式、あるいはその両者の折衷方式など様々な方式を取ることができる。
【００３１】
ここで、これらの方式に関する技術を具体的に挙げると、磁気的な記録方式を用いるものとしては、フロッピー（登録商標）ディスクとそれを大容量化したディスク技術、リムーバルハードディスク技術がある。光学的な記録方式としては、ＣＤ−ＲＷ、ＰＤ、ＤＶＤ技術がある。また、両者の折衷方式には、光磁気ディスクがある。
【００３２】
このような様々な技術が競合しているが、画像、特に動画の場合は、容量が膨大なものになるため、光学的な記録方式を取るもの、特に、書き込みが可能なＤＶＤディスクが本命視されている。
【００３３】
ディスクドライブ１に、記録用ディスク０を差し込んで利用する様子は、図１（ａ）に示される通りである。一般に、ドライブの保持形態としては、トレイ方式、キャディ方式、スロットイン方式などが知られているが、使い勝手の点からは、スロットイン方式が望ましい。この方式は、差し込むと自動的にディスクを読み込んでくれるもので、ディスクを載せる特別のキャディなどは必要としない。
【００３４】
また、ディスクドライブ１は、その挿入口が縦になるよう構成されていて、記録用ディスク０は、縦向きに挿入する。
【００３５】
ＬＣＤ部２は、液晶表示部であり、ここに操作者が撮ろうとしているレンズ部４がとらえた被写体や、操作に必要な情報などが表示される。表示部としては、液晶に限らないが、低電力で、小型であるという利点があるためデジタルカメラを例とする携帯用のデジタル機器には、広く利用されている。
【００３６】
バッテリ部３は、電力を供給する電池部分である。乾電池、蓄電池を問わないが、できるだけコストパーフォマンスがよく、長く撮影できるものが望ましい。また、カメラへの装着の仕方として、ケースに入れても良いし、電池自身を平坦にし、カメラの外観に合うようにして、むき出しのまま実装しても良い。むき出しのまま、実装するようにすれば、ケースの大きさにとらわれず、比較的大型な、したがって、大容量な電池を実装できるという利点がある。
【００３７】
レンズ部４は、レンズがついていて光学的に情報を取り込む部分である。本実施形態のレンズ部４は、図１（ａ）に示される通り、撮影しないときには、レンズが上向きに向いていて、実際に撮影するときには、図１（ｂ）に示される通り、被写体の方にレンズを向けるべく回転させることになる。
【００３８】
メイン基板５は、カメラ自体の制御、演算を司る様々な回路が集積回路として搭載されている。
【００３９】
また、本実施形態のデジタルカメラは、音声を記録することもできることを想定しているのでスピーカ６とマイク７を有している。
【００４０】
これらの基本的な構成要素の配置関係を見ると、一番大きなディスクドライブ１の投影面（操作者から見た方向の面に投影した面）に、ＬＣＤ部２、バッテリ部４、メイン基板４が収められ、カメラがディスクドライブ１の側方に取り付けられていてコンパクトな構成になっている。
【００４１】
次に、図１、図２および図４を用いてより具体的な構成要素について説明しよう。
具体的な構成要素を見るのは、図４の製図手法の図が分かりやすい。また、それが使われるときのイメージ、操作は、図１と図２で理解できる。
【００４２】
先ず、図４の上面図を見ると、左にレンズ部４にあるレンズ１０と、その右側にボタンが幾つか並んでいる。レンズは、レンズカバー兼電源スイッチ１１により、使われないときに蓋が閉まるようになっている。すなわち、図１（ａ）に示される通りこのレンズカバー兼電源スイッチ１１がレンズ１０に蓋をしているときには、電源が入らない状態であり、蓋を開けたときに電源が入るようになっている。また、フタは、レンズの回転止めの機構も兼ねており、図１（ａ）に示すように、閉じた状態ではフタがレンズ部と本体の両側にかかる。
【００４３】
記録ボタンｂ０は、従来型のカメラなら「シャッター」にあたるものである。本実施形態のデジタルカメラでは、静止画のみならず動画や音声も記録できるようになっているので記録ボタンと言ったわけである。
【００４４】
また、メニューボタンｂ２と、四方向の矢印である選択ボタンｂ３により、このデジタルカメラが持っているオプションの様々な操作をできるようになっている。例えば、静止画、動画の切替、画質の設定などである。
【００４５】
次に、図４の正面図を見ると、ＬＣＤ部２とスピーカ６、マイク７の外に、ズームボタンｂ１が見える。
【００４６】
正面は、操作者が向き合う方向であり、ＬＣＤ部２には、既に説明したように被写体の確認、操作に必要な情報やオプション設定のためのメニュー画面が表示される。
【００４７】
ズームボタンｂ１は、被写体を望遠で撮るか広角で撮るかを指定するためのボタンである。
【００４８】
なお、このズームボタンｂ１と記録ボタンｂ０は、撮影時に画角を決めてから、撮影終了までに操作するボタンであり、撮影の前段階として、オプション設定するためのメニューボタンｂ２と選択ボタンｂ３とは、一線を画すことに注意しよう。
【００４９】
実際に操作するときには、図２（ａ）に示されるように記録ボタンｂ０は、人差し指で、ズームボタンｂ１は、親指で操作する。また、ズームボタンｂ１は、右手の親指で操作しやすいように、デジタルカメラを保持したときの親指の向きと、ほぼ同じ向きとして配置されているので、デジタルカメラを確実に保持しながらズームボタンｂ１の操作が可能である。
【００５０】
次に、図４の背面図を見ると、グリップ１２とストロボ１３が配置されている。
【００５１】
背面は、被写体に向き合う方向であり、撮影のために明るさが足りないときには、ストロボ１３を焚くことになる。また、この図１（ｂ）に示されるように、レンズ部４を回転させ、この方向にレンズ１０を向けて、被写体を撮影する。グリップ１２は、図２（ｂ）に示されているように、右手でデジタルカメラをつかんだときに、右手の親指以外の指が、触れる位置に配置されているので、デジタルカメラを確実に保持することができる。グリップ１２は、ゴム状の突起で形成することもできるし、図示しないが逆に本体に窪みを附けるようにしても良い。
【００５２】
次に、側方を見るとディスクドライブ１の取り出し口１４と、ディスク取出しボタンｂ４とバッテリ取外しツマミｂ５が見える。
【００５３】
既に述べたように記録用ディスク０は、ディスクドライブ１の取り出し口１４から、縦向きにスロットイン方式で挿入される。この取出し口１４には、保護蓋がついており、記録用ディスク０を入れないときには、それで蓋がされるようになっている。そして、ディスクを取り外すときには、ディスク取出しボタンｂ４を押せば、記録用ディスクがポップアップして取出せるようになる。
【００５４】
また、バッテリ切れなどの要因によりバッテリ部３からバッテリを取り外すときには、バッテリ取外しツマミｂ５により操作することができる。
【００５５】
この側方は、図２に示されるように手のひらで覆われる部分であり、記録用ディスク０のロックが外れたときでも、飛び出すのを防止できる。
【００５６】
また、この側方にディスク取出しボタンｂ４とバッテリ取外しツマミｂ５がつけておけば、撮影時には右手で隠れた状態になるので、撮影時に誤ってこれらのボタンを操作することがないと言う利点がある。
【００５７】
〔実施形態２〕
以下、本発明に係る第二の実施形態を図５ないし図８を用いて説明する。
図５は、本発明の第二の実施形態に係るデジタルカメラの斜視図であり、（ａ）が撮影者側から見た図、（ｂ）が被写体側から見た図である。
図６は、本発明の第二の実施形態に係るデジタルカメラを、操作するイメージを描いた斜視図であり、（ａ）が撮影者側から見た図、（ｂ）が被写体側から見た図である。
図７は、本発明の第二の実施形態に係るデジタルカメラの主要な構成要素の組み合わせを模式的に示した図である。
図８は、本発明の第二の実施形態に係るデジタルカメラを製図手法的に示した展開図である。
【００５８】
本実施形態は、第一の実施形態と構成要素とその各機能は、同一であり、それらの配置を変えた形態なので、その配置と操作イメージに重点を置いて説明して行こう。
【００５９】
本実施形態は、図７に示すように基本的な構成要素は、同一であるが、その配置は異なっている。
【００６０】
先ず、レンズ部４は、固定され被写体の方を常に向いている。バッテリ部３は、被写体側から見て左端に取り付けられていて、形状として出っ張った様子になっていて、撮影するときには、図６に示されるようにこの部分をグリップされている。バッテリ部３は、通常他の部分よりも重いのでこの部分をグリップすると安定して撮影できると言う利点がある。
【００６１】
この配置を、実施形態１のときと比較してみると、ディスクドライブ１の投影面にすべて構成要素が来る配置にしているので、よりコンパクトなものになっている。ただし、カメラとバッテリの部分だけ厚さが厚くなっている。
【００６２】
ボタンの配置を実施形態１と比較してみると、記録ボタンｂ０は、バッテリ部３の上部についている所が異なっている。その他のズームボタンｂ１、メニューボタンｂ２、選択ボタンｂ３の配置は同様である。
【００６３】
記録ボタンｂ０とズームボタンｂ１を操作しているときのイメージは、図６に示されており、人差し指で記録ボタンｂ０を、親指でズームボタンｂ１を操作することは実施形態１と同様である。
【００６４】
電源のオン・オフは、レンズカバー連動電源スイッチ１１′によりおこなう。これは、実施形態１のレンズカバー兼電源スイッチ１１と機能的に類似しているが、直接それで蓋をするのではなく、図８の正面図にも示されているようにレンズカバー１５が別にあり、それと連動するようになっているのが異なっている。図８の平面図ではレンズカバー連動電源スイッチ１１′は電源オンの状態を示しており、このときメニューボタンｂ２や選択ボタンｂ３が露出され、記録のための操作が可能で、レンズカバー連動電源スイッチ１１′を電源オフの状態にスライドさせるとメニューボタンｂ２や選択ボタンｂ３が隠蔽される。
【００６５】
ＬＣＤ部２は、図６（ｂ）に示されているように持ち上げて回転できるようになっており、撮影のときは、図６（ａ）のように本体内にコンパクトに収めて使用しても良いし、上部に持ち上げて使用しても良い。
【００６６】
また、側方から縦向きにディスクを挿入するのは、実施形態１と同様であり、その利点についても実施形態１と同様に論じることができる。
【００６７】
〔実施形態３〕
以下、本発明に係る第三の実施形態を図９ないし図１２を用いて説明する。
図９は、本発明の第三の実施形態に係るデジタルカメラの斜視図であり、（ａ）が被写体側から見た図、（ｂ）が撮影者側から見た図である。
図１０は、本発明の第三の実施形態に係るデジタルカメラを、操作するイメージを描いた斜視図であり、（ａ）が被写体側から見た図、（ｂ）が撮影者側から見た図である。
図１１は、本発明の第三の実施形態に係るデジタルカメラの主要な構成要素の組み合わせを模式的に示した図である。
図１２は、本発明の第三の実施形態に係るデジタルカメラを製図手法的に示した展開図である。
【００６８】
本実施形態も、第一の実施形態と構成要素とその各機能は、同一であり、それらの配置を変えた形態なので、その配置と操作イメージに重点を置いて説明して行こう。
【００６９】
本実施形態は、図７に示すように基本的な構成要素は、類似しているが、新しい構成要素ＥＶＦ（Electric View Finder）８が付け加わり、その配置も異なっている。
【００７０】
ＥＶＦ８は、被写体の様子を操作者に示すものであり、ＬＣＤ部２の機能の一部の片代わりをするものである。
【００７１】
本実施形態の配置は、実施形態１や実施形態２とは、大きく異なってなものである。本実施形態では、ディスクドライブ１の一番大きな投影面が操作者と直交する向きになっており、その投影面に主要な構成要素、ＬＣＤ部２、バッテリ３、メイン基板５などを配置したものであり、レンズ部４とＥＶＦ８のみが上側についている。このレンズ部４とＥＶＦ８を上に配置したため、薄型でのっぽな形態になる。
【００７２】
撮影するときには、図１０に示されるようにこの投影面にあたる方向を握って、操作することになる。
【００７３】
図１２の上面図に示されるように、メニューボタンｂ２、選択ボタンｂ３は、レンズ部４の上方にある。また、側面図に示されるように記録ボタンｂ０、ズームボタンｂ１は、操作者から見て側面にあり、両方とも人差し指で操作する。本実施形態では、図１０に示されるように親指と、薬指、中指、小指とでカメラ筐体をはさみ込むように保持するので、撮影のために人差し指を動かしてもカメラの確実な保持と固定が可能であり、撮影時の手ぶれが防げるという利点がある。
【００７４】
図９および図１０に示されるように、ＥＶＦ８は、操作者の見やすいように角度を調節できるようになっている。ＬＣＤ部２は、撮影するときには、開いて液晶面を操作者の方に向けて使うことになる。なお、本実施形態でＥＶＦ８を設けたのは、ＬＣＤ部２を収納したままでも撮影できるようにしたためである。
【００７５】
また、電源を操作するときは、レンズカバー連動電源スイッチ１１′′によりおこなう。電源とレンズカバーが連動する機能は、実施形態２と同様であり、レンズカバー１５が開閉する様子は、図９（ａ）に示されている。
【００７６】
記録ディスク０は、操作者がＥＶＦ８を覗く方向から縦向きに挿入するようになっている。記録ディスクを取出し口１４に挿入したときには、蓋は内部に押し込まれて、ラベルがむき出しになる。このため、撮影時でも記録ディスクのラベルを取出し口１４から見て確認できると言う利点がある。
【００７７】
〔実施形態４〕
以下、本発明に係る第四の実施形態を図１３ないし図１６を用いて説明する。
図１３は、本発明の第四の実施形態に係るデジタルカメラの斜視図であり、（ａ）が被写体側から見た図、（ｂ）が撮影者側から見た図である。
図１４は、本発明の第四の実施形態に係るデジタルカメラを、操作するイメージを描いた斜視図であり、（ａ）が被写体側から見た図、（ｂ）が撮影者側から見た図である。
図１５は、本発明の第四の実施形態に係るデジタルカメラの主要な構成要素の組み合わせを模式的に示した図である。
図１６は、本発明の第四の実施形態に係るデジタルカメラを製図手法的に示した展開図である。
【００７８】
本実施形態は、実施形態３と構成要素とその各機能は、同一であり、それらの配置を変えた形態である。配置から見ても、第一から第三の実施形態の内では、第三の実施形態が最も類似したものである。
【００７９】
基本的な構成要素から実施形態３と配置を比較すると、図１５に示すように実施形態３と同じように操作者と直交する向きの投影面に、主要な構成要素が配置されている。ただし、メイン基板５とバッテリ３は、逆の向きに取り付けられている。レンズ部４と、ＥＶＦ８もこの投影面内に収まるようになっており、実施形態３に比べて、背が低くコンパクトであるが、幅厚のものになっている。
【００８０】
撮影するときには、図１４に示されるようにこの投影面にあたる方向を握ることになるが、幅圧なので取り落としたりしないようにハンドストラップ１６が付けられている。
【００８１】
図１６の上面図に示されるように、メニューボタンｂ２、選択ボタンｂ３は、上方にあるが、操作しやすさからディスクドライブ１の方によった位置である。
【００８２】
記録ボタンｂ０は、操作者側にあり、図１４に示されるように親指で操作する。ズームの操作は、レバー機構となっていて、図１４に示されるようにズームレバーｂ１′を望む方向に、人差し指で倒すようになっている。
【００８３】
本実施形態の特徴として、ディスクドライブ１が手にあたることがないため、手に熱を感じることなく、ドライブ自体の放熱に関しても有利である。
【００８４】
撮影するときには、図１３および図１４に示されるようにＬＣＤ部２を開いて液晶面を操作者の方に向けることになる。また、このＬＣＤ部２の開閉機構をロックするためＬＣＤ開閉ロックｂ６が付けられて、収納時に誤って開かないようにできるようになっている。また、この実施形態では、ＬＣＤ部２の部位を大きく取れるために、この面にスピーカ６を設けている。このようにすれば、ＬＣＤ部２で表示されている映像と同一の面から音声が聞こえてくるので臨場感がある。
【００８５】
さらに、レンズカバー連動電源スイッチ１１′′により、電源スイッチとレンズカバーを連動させることは、実施形態３と同様である。
【００８６】
また、ディスクを挿入の向きは、実施形態３と同様であり、その利点も同じである。
【図面の簡単な説明】
【００８７】
【図１】本発明の第一の実施形態に係るデジタルカメラの斜視図であり、（ａ）が撮影者側から見た図、（ｂ）が被写体側から見た図である。
【図２】本発明の第一の実施形態に係るデジタルカメラを、操作するイメージを描いた斜視図であり、（ａ）が撮影者側から見た図、（ｂ）が被写体側から見た図である。
【図３】本発明の第一の実施形態に係るデジタルカメラの主要な構成要素の組み合わせを模式的に示した図である。
【図４】本発明の第一の実施形態に係るデジタルカメラを製図手法的に示した展開図である。
【図５】本発明の第二の実施形態に係るデジタルカメラの斜視図であり、（ａ）が撮影者側から見た図、（ｂ）が被写体側から見た図である。
【図６】本発明の第二の実施形態に係るデジタルカメラを、操作するイメージを描いた斜視図であり、（ａ）が撮影者側から見た図、（ｂ）が被写体側から見た図である。
【図７】本発明の第二の実施形態に係るデジタルカメラの主要な構成要素の組み合わせを模式的に示した図である。
【図８】本発明の第二の実施形態に係るデジタルカメラを製図手法的に示した展開図である。
【図９】本発明の第三の実施形態に係るデジタルカメラの斜視図であり、（ａ）が被写体側から見た図、（ｂ）が撮影者側から見た図である。
【図１０】本発明の第三の実施形態に係るデジタルカメラを、操作するイメージを描いた斜視図であり、（ａ）が被写体側から見た図、（ｂ）が撮影者側から見た図である。
【図１１】本発明の第三の実施形態に係るデジタルカメラの主要な構成要素の組み合わせを模式的に示した図である。
【図１２】本発明の第三の実施形態に係るデジタルカメラを製図手法的に示した展開図である。
【図１３】本発明の第四の実施形態に係るデジタルカメラの斜視図であり、（ａ）が被写体側から見た図、（ｂ）が撮影者側から見た図である。
【図１４】本発明の第四の実施形態に係るデジタルカメラを、操作するイメージを描いた斜視図であり、（ａ）が被写体側から見た図、（ｂ）が撮影者側から見た図である。
【図１５】本発明の第四の実施形態に係るデジタルカメラの主要な構成要素の組み合わせを模式的に示した図である。
【図１６】本発明の第四の実施形態に係るデジタルカメラを製図手法的に示した展開図である。
【符号の説明】
【００８８】
０…記録用ディスク、２…ＬＣＤ部、３…バッテリ部、４…レンズ部、５…メイン基板、６…バッテリ、７…マイク。
【図１】
2006211730.tif 000003
【図２】
2006211730.tif 000004
【図３】
2006211730.tif 000005
【図４】
2006211730.tif 000006
【図５】
2006211730.tif 000007
【図６】
2006211730.tif 000008
【図７】
2006211730.tif 000009
【図８】
2006211730.tif 000010
【図９】
2006211730.tif 000011
【図１０】
2006211730.tif 000012
【図１１】
2006211730.tif 000013
【図１２】
2006211730.tif 000014
【図１３】
2006211730.tif 000015
【図１４】
2006211730.tif 000016
【図１５】
2006211730.tif 000017
【図１６】
2006211730.tif 000018
【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
撮像データをデジタルデータとして光ディスクに記録する光ディスクカメラであって、
前記撮像データを取り込むレンズ部と、
前記デジタルデータが記録される光ディスクを保持する記録媒体保持部と、
前記撮像データを表示する収納可能な表示部と、
を有し、
操作者が片手で、前記記録媒体保持部に保持される光ディスク面と手のひらとが略平行となるように、はさみ込むように保持すること、
を特徴とする光ディスクカメラ。
【請求項２】
撮像データをデジタルデータとして光ディスクに記録する光ディスクカメラであって、
前記撮像データを取り込むレンズ部と、
前記デジタルデータが記録される光ディスクを保持する記録媒体保持部と、
前記撮像データを表示する収納可能な表示部と、
前記撮像データを表示するファインダ部と、
前記光ディスクカメラに電力を供給するバッテリ部と、
を有し、
前記記録媒体保持部に保持される光ディスク面と、前記レンズ部と前記ファインダ部を結ぶ線とが、略平行になるよう前記記録媒体保持部が配置され、かつ、収納状態での前記表示部の表示面と、前記レンズ部と前記ファインダ部を結ぶ線とが、略平行になるよう前記表示部が配置され、かつ、前記記録媒体保持部に保持される光ディスク面と、収納状態での前記表示部の表示面とが、略平行になるよう前記記録媒体保持部および前記表示部が配置し、かつ、前記バッテリ部は、前記記録媒体保持部により保持される光ディスクの垂直方向投影面内に重なるように配置されており、
操作者が片手で、前記記録媒体保持部に保持される光ディスク面と手のひらとが略平行となるように、はさみ込むように保持すること、
を特徴とする光ディスクカメラ。
【請求項３】
請求項１または２記載の光ディスクカメラであって、
前記表示部は、前記記録媒体保持部に保持された光ディスク面と直交する方向まで回転する、
光ディスクカメラ。
【請求項４】
請求項１ないし３のいずれか記載の光ディスクカメラであって、
撮影時に使うボタンとして、記録ボタン及びズームボタンを有し、
撮影時には、操作者の親指で前記記録ボタンを操作し、人差し指で前記ズームボタンを操作するよう前記記録ボタン及び前記ズームボタンを配置した、
光ディスクカメラ。
【請求項５】
請求項１乃至４いずれか記載の光ディスクカメラであって、
前記レンズ部をカバーするレンズカバーの開閉と連動する電源スイッチを有する、
光ディスクカメラ。